(57)【要約】【課題】  株間切替機構の切替操作が容易であると共に、操作に伴う耐久性の低下が生じにくい苗移植機を提供する。【解決手段】  車体４０の前部にミッションケース２を設け、車体４０の後部に苗を積載する苗載せ部材２８を設け、苗載せ部材２８に積載した苗を圃場に植え付ける植付装置３０を設け、植付装置３０の苗を植え付ける間隔を調節する株間調節機構Ｓを調節回動軸８を介して設けた苗移植機において、調節回動軸８の上部に調節回動軸８と共に回動する回動部材１４を設け、回動部材１４の上方に回動部材１４を回動操作する株間操作部材７を設け、株間操作部材７の下部に株間操作部材７を支持すると共に回動支点となる支持部材３を設けて株間調節機構Ｓの操作装置を構成する。【選択図】  図１
2012249535.tif 000002
【特許請求の範囲】
【請求項１】
車体（４０）の前部にミッションケース（２）を設け、該車体（４０）の後部に苗を積載する苗載せ部材（２８）を設け、該苗載せ部材（２８）に積載した苗を圃場に植え付ける植付装置（３０）を設け、該植付装置（３０）の苗を植え付ける間隔を調節する株間調節機構（Ｓ）を調節回動軸（８）を介して設けた苗移植機において、該調節回動軸（８）の上部に調節回動軸（８）と共に回動する回動部材（１４）を設け、該回動部材（１４）の上方に回動部材（１４）を回動操作する株間操作部材（７）を設け、該株間操作部材（７）の下部に株間操作部材（７）を支持すると共に回動支点となる支持部材（３）を設けて株間調節機構（Ｓ）の操作装置を構成したことを特徴とする苗移植機。
【請求項２】
前記株間操作部材（７）の調節回動軸（８）を支持部材（３）の左右方向略中央部に配置し、前記株間操作部材（７）と回動部材（１４）を調節回動軸（８）よりも機体前側で連結し、前記株間操作部材（７）の操作部を調節回動軸（８）よりも機体後側に配置し、前記支持部材（３）を門型に形成すると共に、該支持部材（３）の調節回動軸（８）よりも後部に延設部（４）を形成したことを特徴とする請求項１記載の苗移植機。
【請求項３】
前記車体（４０）に作業状態を切り替える作業操作部材（１０）を設け、前記支持部材（３）及び延設部（４）の上部に作業者が機体上で足を乗せるステップ部（５）を設け、該作業操作部材（１０）に繋がる作業変更部材（１２）を延設部（４）の下部を通過させて配置したことを特徴とする請求項１または２記載の苗移植機。
【請求項４】
前記調節回動軸（８）よりも後側位置に向けて前記株間操作部材（７）を屈曲させると共に、該株間操作部材（７）の操作部を後上り傾斜姿勢としたことを特徴とする請求項１から３のいずれか１項に記載の苗移植機。
【請求項５】
前記車体（４０）を旋回操作する操舵部材（１８）を設け、該操舵部材（１８）を所定角度以上操作して旋回操作になると作業操作部材（１０）を苗載せ部材下降位置に移動させる切替アクチュエータ（５５）を設け、該切替アクチュエータ（５５）とミッションケース（２）の空間部に前記株間操作部材（７）を設け、該株間操作部材（１０）を機体後方に向かう後方傾斜姿勢としたことを特徴とする請求項１から４のいずれかに記載の苗移植機。
【請求項６】
前記株間操作部材（７）で切り替える株間の比率を変更する補助株間操作部材（９）を設け、該補助株間操作部材（９）の操作方向を前記株間操作部材（７）の操作方向と同じ方向となる構成としたことを特徴とする請求項１から５のいずれか１項に記載の苗移植機。
【発明の詳細な説明】
【技術分野】
【０００１】
本件発明は、苗移植機が圃場に植え付ける苗の前後間隔、即ち株間の変更操作機構に関するものであり、作業条件に合致する株間を作業者が容易に調節できるものである。
【背景技術】
【０００２】
苗移植機の伝動装置を構成するミッションケースや、このミッションケースから後側の植付装置に向けて取り出されるＰＴＯ軸等の伝動機構部に、変速ギヤ及び切替ギヤを設けて、機体の走行伝動速に比べて植付装置に対する伝動速を高速または低速に切り替え、苗の植付条に沿った前後方向の株間の間隔を「広」、または「狭」に切替選択する技術が存在する。
【先行技術文献】
【特許文献】
【０００３】
【特許文献１】特開２０１０−２４６４０９号公報
【発明の概要】
【発明が解決しようとする課題】
【０００４】
現行の苗移植機の株間調節機構は、回動操作ピンの上部にツマミを設け、この回動操作ピンを直接回転させて株間を変更する構成となっているため、この回動操作ピンの操作には大きい操作力を必要とするため、作業者に大きな労力を費やさせる問題がある。
【０００５】
また、この回動操作ピンがボンネット内に配置されているため、回動操作ピンの操作位置の際には周辺に配置された多くの部材を避けて操作せねばならないため、操作性が悪くなる問題がある。
【０００６】
本発明は、上記の問題を解消しようとするものである。
【課題を解決するための手段】
【０００７】
請求項１記載の発明は、車体（４０）の前部にミッションケース（２）を設け、該車体（４０）の後部に苗を積載する苗載せ部材（２８）を設け、該苗載せ部材（２８）に積載した苗を圃場に植え付ける植付装置（３０）を設け、該植付装置（３０）の苗を植え付ける間隔を調節する株間調節機構（Ｓ）を調節回動軸（８）を介して設けた苗移植機において、該調節回動軸（８）の上部に調節回動軸（８）と共に回動する回動部材（１４）を設け、該回動部材（１４）の上方に回動部材（１４）を回動操作する株間操作部材（７）を設け、該株間操作部材（７）の下部に株間操作部材（７）を支持すると共に回動支点となる支持部材（３）を設けて株間調節機構（Ｓ）の操作装置を構成したことを特徴とする苗移植機とする。
【０００８】
苗を植え付ける際の株間を設定及び変更する株間操作部材（７）や補助株間操作部材（９）は操作頻度の少ないものであるため、作業者の運転操作の邪魔になりにくいステップ部（５）の前端部に配置している。
【０００９】
そして、該株間操作部材（７）を調節回動軸（８）を回動支点として回動させて、ミッションケース（２）内の植付部（６）へ伝動する植付伝動機構を操作する構成としている。この変更操作は、植付苗の前後間隔を複数段階に亘って切替可能に構成している。
【００１０】
請求項２記載の発明は、前記株間操作部材（７）の調節回動軸（８）を支持部材（３）の左右方向略中央部に配置し、前記株間操作部材（７）と回動部材（１４）を調節回動軸（８）よりも機体前側で連結し、前記株間操作部材（７）の操作部を調節回動軸（８）よりも機体後側に配置し、前記支持部材（３）を門型に形成すると共に、該支持部材（３）の調節回動軸（８）よりも後部に延設部（４）を形成したことを特徴とする請求項１記載の苗移植機とする。
【００１１】
上記構成により、前記株間調節部材（７）は、支持部材（３）の延設部（４）の上側に調節回動軸（８）を介して支持されているので、該調節回動軸（８）を回動支点として左右方向に回動操作すると、植付部（６）への伝動機構が切り替えられる。この支持部材（３）はミッションケース（２）の上側に左右方向に門形状で配置されるものとすることにより、作業者の足元の操作の邪魔にならない配置とすることができる。
【００１２】
請求項３記載の発明は、前記車体（４０）に作業状態を切り替える作業操作部材（１０）を設け、前記支持部材（３）及び延設部（４）の上部に作業者が機体上で足を乗せるステップ部（５）を設け、該作業操作部材（１０）に繋がる作業変更部材（１２）を延設部（４）の下部を通過させて配置したことを特徴とする請求項１または２記載の苗移植機とする。
【００１３】
上記構成により、作業操作部材（１０）を操作することによって、前記ミッションケース（２）内の走行伝動系の機構を変速操作することができるので、路上等を高速走行する際は高速域に変速し、植付部６を土壌面に滑走させ植付作業を行う際は低速域に変速するように切替操作することができる。
【００１４】
請求項４に記載の発明は、前記調節回動軸（８）よりも後側位置に向けて前記株間操作部材（７）を屈曲させると共に、該株間操作部材（７）の操作部を後上り傾斜姿勢としたことを特徴とする請求項１から３のいずれか１項に記載の苗移植機とする。
【００１５】
請求項５記載の発明は、前記車体（４０）を旋回操作する操舵部材（１８）を設け、該操舵部材（１８）を所定角度以上操作して旋回操作になると作業操作部材（１０）を苗載せ部材下降位置に移動させる切替アクチュエータ（５５）を設け、該切替アクチュエータ（５５）とミッションケース（２）の空間部に前記株間操作部材（７）を設け、該株間操作部材（１０）を機体後方に向かう後方傾斜姿勢としたことを特徴とする請求項１から４のいずれかに記載の苗移植機とする。
【００１６】
請求項６記載の発明は、前記株間操作部材（７）で切り替える株間の比率を変更する補助株間操作部材（９）を設け、該補助株間操作部材（９）の操作方向を前記株間操作部材（７）の操作方向と同じ方向となる構成としたことを特徴とする請求項１から５のいずれか１項に記載の苗移植機とする。
【００１７】
上記構成により、植付苗の前後間隔がいっそう長く、植付作業一工程当たりの苗の消費数が減少する植付作業、所謂「疎植」作業を行う際には、株間操作部材（７）の横側近傍位置に配置する補助株間操作部材（９）を操作することにより、ミッションケース（２）内の植付部（６）への伝動機構が操作されて、株間が疎植作業に対応した間隔で切換可能となる。
【００１８】
また、株間調節部材（７）と補助株間調節部材（９）を左右方向に配置することにより、株間の変更調節操作の際に互いに干渉し合わない位置に配置されるため、切替操作が行い易くなる。
【発明の効果】
【００１９】
請求項１記載の発明は、回動部材（１４）を回動操作する株間調節部材（７）を前後方向に長く形成したことにより、株間調節部材（７）の操作側を他の部材に干渉せず操作しやすい位置に配置することができるので、株間調節部材（７）の操作性が向上する。
【００２０】
請求項２記載の発明は、請求項１記載の発明の効果に加えて、株間調節部材（７）の調節回動軸（８）を支持部材（３）の左右方向略中央部に配置すると共に、株間調節部材（７）と回動部材（１４）の接続部を調節回動軸（８）よりも機体前側に配置すると共に、株間調節部材（７）の操作部を回動軸よりも機体後側とすることによって、操作部から株間操作部材（７）までの距離を長く取ることができるので、株間操作部材（７）の操作に要する力が軽減されるため、株間の調節に要する労力が軽減される。
【００２１】
また、支持部材（３）を門型に形成し、支持部材（３）の調節回動軸（８）よりも後部に延設部（４）を形成したことにより、支持部材（３）の剛性が向上するので、株間調節部材（７）の操作荷重が軽減され、株間調節機構（Ｓ）の操作性が向上する。
【００２２】
請求項３記載の発明は、請求項１または２記載の発明の効果に加えて、支持部材（３）及び延設部（４）の上部にステップ分（５）を配置したことにより、作業者がステップ部（５）に乗る際の荷重への耐久性が向上するので、荷重によりステップ（５）が動くことが防止され、機体上での作業性が向上する。
【００２３】
また、作業操作部材（１０）に繋がる作業変更部材（１２）を、延設部（４）の下部を通過させて配置したことにより、作業操作部材（１０）の操作に連動した作業変更部材（１２）の上下動を延設部（４）が規制するため、作業変更部材（１２）がステップ部（５）の下面に接触することを防止できるので、ステップ部（５）及び作業操作部材（１０）が接触時の摩擦で消耗・破損することが防止され、耐久性が向上する。
【００２４】
さらに、作業操作部材（１０）とステップ部（５）の接触が防止されることにより、接触時に生じる異音の発生を防止することができるので、作業者が不快さを感じることが防止され、作業者の労力が軽減される。
【００２５】
請求項４記載の発明は、請求項１から３のいずれか１項に記載の発明の効果に加えて、調節回動軸（８）よりも後位置に向けて株間操作部材（７）を屈曲させ、株間操作部材（７）の操作部を後上り傾斜姿勢としたことにより、株間操作部材（７）の操作部側の下方に空間部を形成することができるので、ステップ部（５）の着脱が容易になり、メンテナンス性が向上する。
【００２６】
請求項５記載の発明は、請求項１から４のいずれか１項に記載の発明の効果に加えて、切替アクチュエータ（５５）とミッションケース（２）との空間部に設ける調節回動軸（８）を、所定角度機体後方に傾斜させたことにより、調節回動軸（８）の上部に設ける回動部材（１４）の回動範囲を確保することができるので、株間操作部材（７）の操作性が向上する。
【００２７】
また、回動部材（１４）と切替アクチュエータ（５５）の干渉が防止されるので、耐久性が向上する。
請求項６記載の発明は、請求項１から５のいずれか１項に記載の発明の効果に加えて、株間操作部材（７）の操作方向と補助株間操作部材（９）の操作方向を同じ方向としたことにより、株間の切替操作を行なう際に株間操作部材（７）と補助株間操作部材（９）が干渉することを防止できるので、株間調節機構（Ｓ）の操作性が向上する。
【００２８】
また、操作方向が同じであることにより、株間の調節を行なう際の操作手順が簡単になるので、作業能率が向上する。
【図面の簡単な説明】
【００２９】
【図１】株間変更レバー部の側面図
【図２】株間変更レバー部の平面図
【図３】運転フロア部の側面図
【図４】苗移植機の側面図
【図５】苗移植機の平面図
【発明を実施するための形態】
【００３０】
図１〜図５で示すとおり、本件構成の苗移植機は、車体４０の前部左右に、ステアリングポスト１上に設けたステアリングハンドル１８の操舵によって操向するフロントアスルハウジング１９，１９をそれぞれ設け、該フロントアクスルハウジング１９，１９にそれぞれ前輪４１を駆動回転可能に装着する。
【００３１】
そして、車体４０の後部の左右両側にリヤアクスルハウジング２０，２０をそれぞれ設け、リヤアクスルハウジング２０，２０の車軸にそれぞれ後輪４２，４２を装着する。
また、前記車体４０の上部中央位置に、作業者が着座する運転シート４３を設け、該運転シート４３の下側に走行や植付作業を行う駆動力を発生させるエンジン４４を搭載し、苗移植機を走行する乗用四輪走行形態とする。
【００３２】
該車体４０の後方には、平行リンク２１を介して多条植形態（本件の図５では４条の苗移植機を開示しているが、４条以外の条数にも対応可能とする。）の植付部６を連結して、前記車体４０側からＰＴＯ軸２２を経て伝動して植付作動する構成としている。
【００３３】
そして、前記エンジン４４の上側部を覆うシートカバー４６は、前側の運転フロア５及び左右両側のサイドフロア４５から上方へ高く膨出形成されるものとし、該シートカバー４６上面に、前記運転シート４３を設けている。前記サイドフロア４５の前部は、ステアリングポスト１の両側部に亘って形成し、外側部に補助苗受台２３を配置し、後部は運転シート４３の後側部のリヤステップ２４に連結して、運転者が上記運転フロア５の上側を前後に移動し易く形成している。
【００３４】
前記植付部６は、苗植伝動ケースからなる苗植フレーム２５の下側にセンタフロート２６と左右のサイドフロート２７，２７を配置して、後部には後下り傾斜の苗タンク２８を左右往復移動するように設け、後側下部には各苗タンク２８の苗取口２９から進入し、該苗タンク２９から苗を分離保持して圃場に植え付ける植付装置３０を配置する。上記のセンタフロート２６、及びサイドフロート２７，２７は左右一定間隔の苗植付位置の土壌面を滑走均平するものであり、各均平跡の土壌面に植付装置３０による一定の植付軌跡線Ｄの作動で苗を植え付ける多条植形態に構成している。
【００３５】
また、前記車体４０のリヤフレーム３１に連結される平行リンク２１は、昇降シリンダ３２によって昇降制御されており、前記センタフロート２６及びサイドフロート２７，２７が略一定の圧力で土壌面を滑走均平するように構成している。前記リヤフレーム３１上に施肥装置３３を設けて、該施肥装置３３から繰り出される肥料を各条毎に供給ホース３４を介して植付装置３０の苗植付位置の周囲近傍に供給する。
【００３６】
そして、前記センタフロート２６及びサイドフロート２７，２７の前側には、均平前の土壌面を予め代掻する整地センタロータ３５及び左右のサイドロータ３６，３６を設け、前記リヤアクスルハウジング２０，２０の伝動機構から連動軸３７，３７を介してそれぞれ伝動回転する構成とする。
【００３７】
前記シートカバー４６下のエンジンルーム４７の底部にはエンジン４４を配置し、該エンジン４４の前方の油圧無段変速装置４８の入力軸４９との間にベルト５０を無端状に巻回して伝動する。該油圧無段変速装置４８はミッションケース２の上側に設けられ、該ミッションケース２の入力軸により伝動するものである。
【００３８】
さらに、前記ミッションケース２の横側から、前記フロントアクスルハウジング１９，１９の伝動機構を介して前輪４１，４１を伝動回転し、後側の伝動軸５１，５１を介してリヤアクスルハウジング２０，２０の後輪４２，４２を伝動すると共に、ＰＴＯ連動軸５２を介して前記ＰＴＯ軸２２を回転させる構成とする。
【００３９】
前記ステアリングポスト１は、運転シート４３の前側に形成の運転フロア５前部に立設されて、前側面をフロントカバー５３で覆い、後側部をステアリングポストカバー１７で覆う形態である。該ステアリングポスト１及び運転フロア５の下側にミッションケース２及び油圧無段変速装置４８が配置され、前記ミッションケース２の左右両側に突出のフロントアクスルハウジング１９，１９の側端部に前輪４１，４１を軸装する操向ケースが、前記ステアリングハンドル１８の操作によって操向される構成である。
【００４０】
前記ミッションケース２の入力軸部に出力される油圧無段変速装置４８は、中立位置から前進変速位置、及び後進高速位置へ無段変速操作できる主変速装置を構成する。そして、この主変速装置の変速操作は、右足操作のアクセルペダル５４によってトラニオン軸を連動して無段変速操作できる。前記油圧無段変速装置４８の出力軸からミッションケース２の入力軸への伝動は、前輪４１、後輪４２へ連動の走行伝動系と、ＰＴＯ連動軸５２からＰＴＯ２２を経て植付部６を伝動する苗植伝動系とに分かれて伝動する形態であり、この走行伝動系に前記副変速レバー１０で操作の副変速装置を設けている。
【００４１】
また、前記植付部６を伝動する植付伝動系に、前記株間変更レバー７の操作で苗植伝動速を通常速と疎植速に切り替えて、苗を植え付ける株間を変更する構成としている。
そして、この植付伝動系には、株間副変更レバー９の操作で、前記通常速、及び疎植速の各苗植伝動速を更に細かく副変速して伝動させる苗植副変速装置、又は株間副変更装置Ｂを設けている。これら株間変更機構Ｓ、及び株間副変更装置Ｔを経てＰＴＯ連動軸５２へ伝動回転される。従って、これら株間変更機構Ｓ、又は株間副変更装置Ｔの変速操作によって、走行車輪４１、４２による走行速に対する植付部６の苗植伝動速を変更して、苗植付条方向の植付株間隔を粗、密に変更、調節することができる形態である。
【００４２】
ここにおいて、ステアリングポスト１の後側下部のミッションケース２上側部に、左右方向にまたぐように門形状の支持ブラケット３を取付けて、この支持ブラケット３の上側面部４を車体の運転フロア５と略同高さに形成し、この支持ブラケット３の上側面部４に、植付部６の伝動速を変更操作して苗植付株間間隔を変更する株間変更レバー７をレバー軸８周りに操作可能に設けた株間変更操作装置Ｓの構成とする。
【００４３】
苗を植えつける株間を設定、変更して植付させるための株間変更レバー７や、株間副変更レバー９等は、苗の植付作業全体において操作頻度が少ない操作具であるため、運転者の足元の、運転操作の邪魔になり難い個所であるステアリングポスト１部の下部で且つ運転フロア５の前端部に位置して配置しており、前記株間変更レバー７をレバー軸８の周りに回動して、ミッションケース２内の植付部６へ伝動する苗植伝動機構を変更操作する。
【００４４】
該変更操作は、圃場の一端部から他端部までを直線状に走行して苗を植え付ける作業、即ち一工程の植付作業時に圃場に植えられる苗の株数を、例えば「５０株」と「６０株」と「７０株」といった、複数段階の間隔に切り替えるものである。一方、上記のような間隔の変更でなく、植付間隔を疎植間隔位値と通常植間隔に切替操作するときは、この株間変更レバー７の横側近くに配置の株間副変更レバー９を操作して、ミッションケース２内の植付部６への伝動機構を切替操作することにより、株間変更レバー７の操作による株間の変更量が切り替えられる。
【００４５】
なお、疎植間隔位置に株間副変更レバー９を操作した場合、株間変更レバー７の切替操作を行うと、苗の株数は例えば、「３７株」と「４２株」と「４７株」とに切り替えられる。
【００４６】
前記株間変更レバー７は、支持ブラケット３の上側面部４上にレバー軸８で支持されていて、このレバー軸８の周りに左右方向へ回動操作することによって、苗植伝動機構を切替える。この支持ブラケット３はミッションケース２の上側に左右方向に門形状にわたって形成されるもので、株間変更レバー７の形態と共に適宜の仕様に設定して、ステアリングポスト１の下部のステアリングポストカバー１７の内側に収納され易い形態として、運転者の足元部の邪魔にならないように構成することができる。しかも、このステアリングポスト１の下部に配置することによって、株間変更レバー７の操作を行い易くする。
【００４７】
また、前記各間変更レバー７の横側下部近くに、この株間変更レバー７の操作で切替えられた株間変更の伝動速位置を更に副変速して株間間隔を変更する株間副変速レバー９を設ける。
【００４８】
前記のように株間変更レバー７と株間副変更レバー９は、ステアリングポスト１の下部において、左右方向に配置されるため、株間の変更調節操作の粗、密調節関連の切替操作を行い易くする。この株間変更レバー７は先端把持部を上側へ屈曲させて運転フロア５の上側へ高く位置させて、運転者の足元の邪魔にならないように形成している。
【００４９】
さらに、株間副変更レバー９は運転フロア５のフロア面と略動程度の高さ位置において左右回動操作できるように構成しているため、ＨＳＴペダル５４や、ブレーキペダル等の踏込み操作等の邪魔になり難くしている。そして、これら株間変更レバー７と株間副変更レバー９は、上下段違いに設定しているため、左右回動操作状態において相互の干渉を防止することができ、左右方向に接近させて配置して、操作性を高めることができる。
【００５０】
また、前記支持ブラケット３の下側で、ミッションケース２の上面との間に、走行伝動変速の副変速レバー１０によって副変速シフター１１を連動する連動ロッド１２を位置させて設ける。
【００５１】
前記株間変更レバー７は、支持ブラケット３の上側面部４上のレバー軸８周りに左右回動操作される。このステアリングポスト１の一側部に配置の副変速レバー１０を操作することによって、前記ミッションケース２内の走行伝動系の副変速機構を変速操作して、路上等を高速走行するように高速域に変速したり、植付部６を土壌面に滑走させて低速域の苗植走行速で走行するように低速域に変速するように切替操作する。このとき、左右一側部の副変速レバー１０と、これと反対側の副変速シフター１１との間が、前記ミッションケース２の上面と支持ブラケット３の上側面部４との間隔部を横方向に通す連動ロッド１２で連結するため、この連動ロッド１２の作動されるスペースを正確に維持して、連動ロッド１２の作動に抵抗力を与えないようにする。
【００５２】
さらに、前記株間変更レバー７の先端部のフックピン１３の係合によって左右方向へ回動される回動アーム１４を、前後方向に傾斜するアーム軸１５の周りに回動可能に支持し、このアーム軸１５の下端部には、ミッションケース２の株間変更伝動速を切替連動する切替アクチュエータ１６を設ける。
【００５３】
前記株間変更するときは、株間変更レバー７を操作することによって、ミッションケース２内の植付部６へ伝動する伝動機構を主変速する。このとき株間変更レバー７をレバー軸８の周りに左右方向へ回動することによって、前端部のフックピン１３で回動アーム１４の長穴３８に係合してアーム軸１５周りに左右方向へ回動して、このアーム軸１５、及び切替アクチュエータ１６を、回動操作することができる。このアーム軸１５を前後方向へ傾斜させて、上端側を後側のレバー軸８側へ接近させるようにして傾斜させているため、この株間変更レバー７の先端のフックピン１３の回動径を短かくして、回動アーム１４に係合させて回動操作することができる。
【００５４】
前記植付部６を伝動する苗植伝動系に株間変更装置Ｓと株間副変更装置Ｔを配置するものであるから、これらは左右に接近して配置されて、株間変更レバー７によって回動される切替アクチュエータ１６と、株間副変更レバー９によって回動される切替アクチュエータ５４の関係位置も左右に接近して配置される。従って、これら各レバー７、９を変更回動操作の方向を同調方向に操作できるように設定するか、または、図１のように上下段違いに配置することによって、レバー７、９相互間を接近させても干渉操作を防止することができる。
【００５５】
前記ステアリングポスト１の上部には、図３（ａ）及び図３（ｂ）で示すとおり、ギヤードモータ５５を設ける。該ギヤードモータ５５は、前記ステアリングハンドル１８が所定の操向旋回角回動されたことが検出されると、副変速操作レバー１０を植付部６の「下降」位置に駆動力によって移動させ、前記伸縮シリンダ３２の油圧回路の昇降制御弁を連動させて、植付部６を作業姿勢から非作業姿勢へ上昇させたり、又は逆に下降させる構成としている。
【００５６】
前記図３（ａ）及び（ｂ）においては、ステアリングハンドル１８が、ステアリング軸５６の上端部に対して、上下裏返して着替できるように構成し、運転者の操作高さに適合し易くしたものである。このステアリングハンドル１８は、傘形状に形成されて、中央部の取付座５７を下側にして取付けて、ナット５８で締め付けると、ハンドル把持位置は高くなり（Ｈ）、この取付座５７を上側にして取付けるとハンドル位置は低くなる（Ｌ）。５９はキャップである。
【符号の説明】
【００５７】
２      ミッションケース
３      支持ブラケット（支持部材）
４      上側面部（延設部）
５      運転フロア（ステップ部）
６      植付部
７      株間変更レバー（株間操作部材）
８      レバー軸（調節回動軸）
９      株間副変更レバー（補助株間操作部材）
１０    副変速レバー（作業操作部材）
１２    連動ロッド（作業変更部材）
１４    回動アーム（回動部材）
１８    ステアリングハンドル（操舵部材）
５５    ギヤードモータ（切替アクチュエータ）
Ｓ      株間調節機構
Ｔ      株間副調節機構
【図１】
2012249535.tif 000003
【図２】
2012249535.tif 000004
【図３】
2012249535.tif 000005
【図４】
2012249535.tif 000006
【図５】
2012249535.tif 000007